(57)【要約】      （修正有）【課題】組立てが容易で生産性が高いとともに、組立て精度が高く、動作特性にバラツキが生じない電磁継電器を提供する。【解決手段】平面略長方形のベース１０の中間部に側方に開口する断面略コ字形の絶縁用仕切壁１１を設け、長辺側、かつ、反対方向の側方にそれぞれ開口する下方空間部１２と上方空間部１７とに仕切るとともに、前記下方空間部１２内に設けた接点機構部と、前記操作孔１１ａの直下に回動可能に支持され、前記接点機構部を駆動するカード３０と、両端に鍔部４２,４３を有するスプール４１の胴部にコイル４４を巻回し、かつ、電磁石ブロック４０に回動可能に支持され、かつ、前記操作孔１１ａの直上に位置する略Ｌ字形の可動鉄片５０とからなり、特に、前記ベース１０の上方空間部１７に前記電磁石ブロック４０を側方から短辺方向にスライドさせて圧入,固定する。【選択図】図５
2005293952.tif 000002
【特許請求の範囲】
【請求項１】
平面略長方形のベースの中間部に側方に開口する断面略コ字形の絶縁用仕切壁を設け、長辺側、かつ、反対方向の側方にそれぞれ開口する下方空間部と上方空間部とに仕切るとともに、前記絶縁用仕切壁の上面に前記下方空間部と前記上方空間部とを連通する操作孔を設けたベースと、前記下方空間部内に設けた接点機構部と、前記操作孔の直下に回動可能に支持され、前記接点機構部を駆動するカードと、両端に鍔部を有するスプールの胴部にコイルを巻回し、かつ、前記胴部の中心孔に鉄芯を圧入した電磁石ブロックと、前記電磁石ブロックに回動可能に支持され、かつ、前記操作孔の直上に位置する略Ｌ字形の可動鉄片と、からなり、前記電磁石ブロックの励磁,消磁に基づいて回動する前記可動鉄片で前記操作孔から前記カードを操作し、回動する前記カードで前記接点機構部を駆動する電磁継電器であって、
前記ベースの上方空間部に前記電磁石ブロックを側方から短辺方向にスライドさせて圧入,固定したことを特徴とする電磁継電器。
【請求項２】
スプールの鍔部の同一方向の側端縁部に、下端部がベースの下面と面一となり、かつ、外側面がベースの外側面と面一となるコイル端子用保持部を、それぞれ一体成形するとともに、前記ベースに嵌合した箱形ケースの内側面に前記コイル端子用保持部の外側面が接合することを特徴とする請求項１に記載の電磁継電器。
【発明の詳細な説明】
【技術分野】
【０００１】
本発明は電磁継電器、特に、組立てが容易な電磁継電器に関する。
【背景技術】
【０００２】
従来、電磁石ブロックを組み付ける電磁継電器としては、例えば、ベース２の中間部に断面コ字形に形成された絶縁仕切壁８を設け、前記仕切壁８の可動接片７側に絶縁カード５の本体部５ｂを配設し、前記絶縁カード５の背面に突部５aを設け、前記突部５aを前記絶縁仕切壁８の背面に臨ませてアマチュア４の下端部に係止できるように前記絶縁仕切壁８に前記突部を遊挿するための窓９を設け、前記窓９を前記絶縁カード５の本体部５ｂにて被蔽できるように形成したものがある(特許文献１参照)。
【特許文献１】特開２００１−８４８８３号公報
【発明の開示】
【発明が解決しようとする課題】
【０００３】
しかしながら、前述の電磁継電器では、ベースに電磁石ブロックを組み付ける際の組付距離が長い。さらに、ベースに電磁石ブロックを組み付ける当初の位置決めを目で確認できず、不確実である。このため、組み立てが容易でなく、生産性が低いだけでなく、高い組立精度を得ることが困難であり、動作特性にバラツキが生じやすいという問題点がある。
【０００４】
本発明は、前記問題点に鑑み、組立てが容易で生産性が高いとともに、組立て精度が高く、動作特性にバラツキが生じない電磁継電器を提供することを目的とする。
【課題を解決するための手段および発明の効果】
【０００５】
本発明にかかる電磁継電器は、前記目的を達成するため、平面略長方形のベースの中間部に側方に開口する断面略コ字形の絶縁用仕切壁を設け、長辺側、かつ、反対方向の側方にそれぞれ開口する下方空間部と上方空間部とに仕切るとともに、前記絶縁用仕切壁の上面に前記下方空間部と前記上方空間部とを連通する操作孔を設けたベースと、前記下方空間部内に設けた接点機構部と、前記操作孔の直下に回動可能に支持され、前記接点機構部を駆動するカードと、両端に鍔部を有するスプールの胴部にコイルを巻回し、かつ、前記胴部の中心孔に鉄芯を圧入した電磁石ブロックと、前記電磁石ブロックに回動可能に支持され、かつ、前記操作孔の直上に位置する略Ｌ字形の可動鉄片と、からなり、前記電磁石ブロックの励磁,消磁に基づいて回動する前記可動鉄片で前記操作孔から前記カードを操作し、回動する前記カードで前記接点機構部を駆動する電磁継電器であって、
前記ベースの上方空間部に前記電磁石ブロックを側方から短辺方向にスライドさせて圧入,固定した構成としてある。
【０００６】
本発明によれば、ベースに設けた上方空間部内に電磁石ブロックを側方から短辺方向にスライドさせて圧入,固定するので、組付距離が短い。さらに、前記ベースに電磁石ブロックを組付ける当初の位置決めを目で確認でき、正確に組付作業できる。このため、組立てが容易であり、生産性が高いとともに、高い組立精度を得ることができ、動作特性にバラツキが生じない。
【０００７】
本発明の実施形態は、スプールの鍔部の同一方向の側端縁部に、下端部がベースの下面と面一となり、かつ、外側面がベースの外側面と面一となるコイル端子用保持部を、それぞれ一体成形するとともに、前記ベースに嵌合した箱形ケースの内側面に前記コイル端子用保持部の外側面が接合する構成としてもよい。
【０００８】
本実施形態によれば、コイル端子用保持部がシール材の侵入を阻止し、下方空間部内に設けた接点機構部が動作不良となることを防止できるという効果がある。
【発明を実施するための最良の形態】
【０００９】
本発明にかかる電磁継電器の実施形態を図１ないし図７の添付図面に従って説明する。
本実施形態にかかる電磁継電器は、図４に示すように、ベース１０と、固定接点端子２０と、可動接点端子２５と、カード３０と、可動鉄片５０を回動可能に支持した電磁石ブロック４０と、ケース６０とからなるものである。
【００１０】
ベース１０は、その中間部に側方に向けて開口する断面略コ字形の絶縁仕切壁１１を一体成形することにより、反対方向の側方にそれぞれ開口する下方空間部１２および上方空間部１７を形成してある。そして、前記下方空間部１２内には、後述する固定接点端子２０、可動接点端子２５、および、カード３０を側方からそれぞれ圧入できる圧入用リブ１３、圧入溝１４,１５および軸受け溝１６を組付け方向に沿ってそれぞれ設けてある。一方、前記ベース１０の上方空間部１７には、図５に示すように、後述する電磁石ブロックを側方からスライドさせて組み付けた場合に、ヨーク４６の水平部４６ａの縁部を圧入させて保持するための圧入用突条１８を、内側面に側方に突設してある。さらに、前記絶縁仕切壁１１には、前記下方空間部１２および前記上方空間部１７を連通させる操作孔１１ａが設けられている。
【００１１】
前記固定接点端子２０は、図４に示すように、水平部２１の先端近傍に固定接点２２をカシメ固定したものである。そして、前記固定接点端子２０を側方からスライドさせて、前記ベース１０の圧入用リブ１３に係合するとともに、圧入溝１４に圧入することにより、前記固定接点端子２０が前記ベース１０に固定される。
【００１２】
前記可動接点端子２５は、一端部をカシメ固定した可動接触片２６の中間部に可動接点２７をカシメ固定したものである。そして、前記可動接点端子２５は、前記ベース１０の圧入溝１５に側方からスライドさせて圧入することにより、前記ベース１０に固定されるとともに、前記可動接点２７が前記固定接点２２に接離可能に対向する。
なお、本実施形態では、固定接点端子２０と可動接点端子２５とで常開の接点機構部を形成しているが、必ずしもこれに限らず、常閉の接点機構部としてもよく、あるいは、常開および常閉の接点機構部であってもよい。
【００１３】
カード３０は、図６に示すように、平面略長方形の板状体であり、その一端側縁部に回動軸３１が一体成形され、その上面の中間部に押圧用突部３２が形成されている一方、その下面の先端部に押圧用突起３３が設けられている。そして、前記ベース１０の軸受け溝１６に前記回動軸３１を側方から挿入することにより、前記ベース１０の下方空間部１２内で回動自在に支持される。そして、前記カード３０は、その押圧用突起３３が可動接触片２６の自由端部２８に当接するとともに、前記ベース１１の操作孔１１ａの直下に位置する。なお、前記カード３０は後述する電磁石ブロック４０を組み付けた後に組み付けてもよい。そして、その場合であっても、カード３０の押圧用突部３２と押圧用突起３３とがテーパ面を有しているので、可動鉄片５０の水平部５２と可動接触片２６との間をわざわざ押し広げることなく、前記ベース１０に前記カード３０を押し込むだけでワンタッチで組み付けできる。
【００１４】
電磁石ブロック４０は、図７に示すように、両端に鍔部４２,４３を有するスプール４１の胴部４１ａにコイル４４を巻回したものである。そして、前記胴部４１ａの中心孔４１ｂに断面略Ｔ字形の鉄芯４５を圧入し、突出する一端部を磁極部４５ａとする一方、突出する他端部４５ｂを略Ｌ字形のヨーク４６にカシメ固定してある。また、前記鍔部４２,４３の同一方向側の側端縁部にコイル端子用保持部４７,４８が一体成形されている。そして、前記コイル端子用脚部４７,４８にはコイル端子４９ａ，４９ｂがそれぞれ圧入されているとともに、その上端部には前記コイル４５の引き出し線を絡げて半田付けしてある。
【００１５】
そして、屈曲された可動鉄片５０がヒンジばね５３(図２参照)を介して前記ヨーク４６の水平部４６ａの先端に回動自在に支持されている。このため、前記可動鉄片５０の垂直部５１が前記鉄芯４５の磁極部４５ａに接離可能に対向する。
【００１６】
前記コイル端子用保持部４７,４８は、その外側面がベース１０の外側面と面一となるように形成されているとともに、その下端部がベース１０の底面と面一となるように形成されている。これは、シール材を注入した場合に下方空間１２内に前記シール材が侵入しないようにするためである。さらに、前記コイル端子用保持部４７,４８は、上下全長が筒状ではなく、下側半分が断面略Ｌ字形のカバー部４７ａ,４８ａとなっており、コイル端子４９ａ，４９ｂの下側半分の一部が露出している。これは、前記コイル端子用保持部４７,４８の機械的強度を確保しつつ、樹脂成形を容易にするとともに、コイル端子４９ａ，４９ｂの圧入作業を容易にするためである。
【００１７】
なお、前記コイル端子４９ａ，４９ｂをスプール４１に圧入する際に反ってしまっても、コイル端子用保持部４７,４８のカバー部４７ａ,４８ａとベース１０の外側面とがコイル端子４７ａ,４８ａの反りを矯正するので、実用上の問題はない。
また、カバー部４７ａ,４８ａのうち、ケース６０に接しない部分は、必ずしも対向するコイル端子４９ａ，４９ｂ間に位置するように設ける必要はなく、反対側の前記コイル端子４９ａ，４９ｂの外側に設けてもよい。
【００１８】
そして、図５に示すように、前記電磁石ブロック４０を絶縁仕切壁１１の上面に沿って側方からスライドさせて組み付けると、前記ヨーク４６の底面がカード３０の押圧用突部３２を押し下げて通過した後、圧入作業の最終段階において前記ベース１０の内側面に突設した突条１８と前記絶縁仕切壁１１の上面との間に、ヨーク４６の水平部４６ａの縁部が圧入されて保持される。この結果、可動鉄片５０の水平部５２の下面が、操作孔１１ａを介し、カード３０の押圧用突部３２に圧接する(図２)。さらに、コイル端子保持部４９ａ,４９ｂの下端部がベース１０の下面と面一となる。
【００１９】
本実施形態によれば、電磁石ブロック４０の巾寸法(奥行寸法)だけスライドさせて組付けることができるので、組付ける際の位置決めを目で確認できるだけでなく、組付距離が短い。特に、組付作業の最終段階で電磁石ブロック４０がベース１０に固定されるので、組付作業の途中は余り大きな圧力を必要とせず、組付け作業が容易である。また、本実施形態によれば、コイル端子４９ａ，４９ｂは前記電磁石ブロック４０の圧入方向と反対側に配置されているので、組付作業の妨げとならず、組付作業がより一層容易である。
【００２０】
本実施形態によれば、すべての内部構成部品をベース１０に左右両側から組み付けることができるので、組立て作業が単純化され、自動組立しやすいという利点がある。
【００２１】
ケース６０は、前記ベース１に嵌合可能な箱形状を有するものである。このため、組立作業は、前記ベース１０に電磁石ブロック４０等の内部構成部品を組み付けた後、前記ベース１０に前記ケース６０を嵌合し、シール作業を行うことにより、完了する。
【００２２】
次に、本実施形態にかかる電磁継電器の動作について説明する。
コイル４５に電圧が印加されていない場合には、可動接触片２６のばね力で可動接点２７が固定接点２２から開離しているとともに、前記カード３０が上方に付勢されているので、可動鉄片５０の垂直部５１が鉄芯４５の磁極部４５ａから開離している。
【００２３】
そして、前記コイル４４に電圧を印加すると、鉄芯４５の磁極部４５ａに可動鉄片５０の垂直部５１が吸引され、前記可動鉄片５０が回動する。このため、可動鉄片５０の水平部５２が前記カード３０の押圧用突部３２を押し下げるので、前記カード３０は軸部３１を支点に回動することにより、前記カード３０の押圧用突起３３が可動接触片２６の自由端部２８を押し下げる。この結果、前記可動接触片２６の可動接点２７が固定接点２２に接触して回路を閉成する。
【００２４】
ついで、前記コイル４４に対する電圧の印加を停止すると、前記可動接触片２６が、それ自身のばね力でカード３０を押し上げ、可動鉄片５０を回動させるとともに、可動接点２７が固定接点２２から開離し、元の状態に復帰する。
【産業上の利用可能性】
【００２５】
本発明は前述の実施形態に限らず、他の実施形態の電磁継電器に適用してもよいことは勿論である。
【図面の簡単な説明】
【００２６】
【図１】本発明にかかる電磁継電器の実施形態を示す正面図である。
【図２】本発明にかかる電磁継電器の実施形態を示す正面縦断面図である。
【図３】本発明にかかる電磁継電器の実施形態を示す側面縦断面図である。
【図４】本発明にかかる電磁継電器の実施形態を示す分解斜視図である。
【図５】図４と異なる視点から見た分解斜視図である。
【図６】図６Ａ，６Ｂは図４で示したカードの斜視図である。
【図７】図７Ａ，７Ｂは図４で示した電磁石ブロックの斜視図である。
【符号の説明】
【００２７】
１０：ベース
１１：絶縁仕切壁
１１ａ：操作孔
１２：下方空間部
１３：圧入用リブ
１４：圧入溝
１５：圧入溝
１６：軸受け溝
１７：上方空間部
１８：圧入用突条
２０：固定接点端子
２１：水平部
２２：固定接点
２５：可動接点端子
２６：可動接触片
２７：可動接点
２８：自由端部
３０：カード
３１：回動軸
３２：押圧用突部
３３：押圧用突起
４０：電磁石ブロック
４１：スプール
４２,４３：鍔部
４４：コイル
４５：鉄芯
４５ａ：磁極部
４６：ヨーク
４７,４８：コイル端子用保持部
４７ａ,４８ａ：カバー部
４９ａ,４９ｂ：コイル端子
５０：可動鉄片
５１：垂直部
５２：水平部
６０：ケース
【図１】
2005293952.tif 000003
【図２】
2005293952.tif 000004
【図３】
2005293952.tif 000005
【図４】
2005293952.tif 000006
【図５】
2005293952.tif 000007
【図６】
2005293952.tif 000008
【図７】
2005293952.tif 000009